(57)【要約】【課題】ハンドルの把持部を握って機体を操縦する際に、左右のバランスをとるような機体の姿勢制御を行う操作だけでなく、機体を押し引きするような操作も容易なものとして、操作性の向上を図る。【解決手段】左右に把持部１１を備えたハンドル１０を有する歩行型作業機１において、前記左右の各把持部１１は、前後方向に延伸する縦把持部１１ａと、該縦把持部１１ａの後端から外側に向けて延伸する横把持部１１ｂとを備えて構成した。【選択図】図３
2008295384.tif 000002
【特許請求の範囲】
【請求項１】
左右に把持部を備えたハンドルを有する歩行型作業機において、前記左右の各把持部は、前後方向に延伸する縦把持部と、該縦把持部の後端から外側に向けて延伸する横把持部とを備えてなることを特徴とする歩行型作業機。
【請求項２】
前記左右いずれか一方の把持部の近傍にクラッチレバーを設けて、該把持部の縦把持部と横把持部とに沿って屈曲し、該クラッチレバーと縦把持部または横把持部とを同時に把持可能としたことを特徴とする請求項１に記載の歩行型作業機。
【請求項３】
前記把持部に横把持部の外側端から縦把持部の前端に向けて延伸するガード体を設けたことを特徴とする請求項１または請求項２に記載の歩行型作業機。
【請求項４】
前記把持部を、前記縦把持部と、前記横把持部と、前記ガード体とでループ状に形成したことを特徴とする請求項３に記載の歩行型作業機。
【発明の詳細な説明】
【技術分野】
【０００１】
本発明は、左右に把持部を備えたハンドルを有する歩行型作業機に関する。
【背景技術】
【０００２】
従来、左右に把持部を備えたハンドルを有する歩行型作業機は公知となっている。このような管理機では、左右一側もしくは両側の把持部の近傍にデッドマン式クラッチレバーを設け、これをハンドルの把持部と同時に握ることでクラッチを接続し、離すことでクラッチを切断するように構成していた（例えば、特許文献１参照。）。
【特許文献１】特開２００３−２１２１５９号公報
【発明の開示】
【発明が解決しようとする課題】
【０００３】
前述のような歩行型作業機では、ハンドルの左右の把持部を前後方向に延伸する形状としていたため、ハンドルの左右の把持部をクラッチレバーとともに握って作業を行う際に、左右のバランスをとるような機体の姿勢制御は行いやすいが、機体を押し引きするような操作を行う場合、力を入れて握らなければならず、操作性が悪かった。また、樹木の枝などの周囲の物体が把持部に向かって延びてきている場合、取り除きながら作業を行わねばならず、作業効率が低下していた。
【課題を解決するための手段】
【０００４】
本発明の解決しようとする課題は以上の如くであり、次にこの課題を解決するための手段を説明する。
【０００５】
即ち、請求項１においては、左右に把持部を備えたハンドルを有する歩行型作業機において、前記左右の各把持部は、前後方向に延伸する縦把持部と、該縦把持部の後端から外側に向けて延伸する横把持部とを備えてなるものである。
【０００６】
請求項２においては、前記左右いずれか一方の把持部の近傍にクラッチレバーを設けて、該把持部の縦把持部と横把持部とに沿って屈曲し、該クラッチレバーと縦把持部または横把持部とを同時に把持可能としたものである。
【０００７】
請求項３においては、前記把持部に横把持部の外側端から縦把持部の前端に向けて延伸するガード体を設けたものである。
【０００８】
請求項４においては、前記把持部を、前記縦把持部と、前記横把持部と、前記ガード体とでループ状に形成したものである。
【発明の効果】
【０００９】
本発明の効果として、以下に示すような効果を奏する。
【００１０】
請求項１においては、ハンドルの縦把持部または横把持部を状況に応じて使い分けることが可能となり、操作性の向上を図ることができる。
【００１１】
請求項２においては、クラッチレバーを縦把持部または横把持部とともに握ることが可能となり、作業時での操作性を向上させることができる。
【００１２】
請求項３においては、ガード体で縦把持部または横把持部を握った手を周囲の物体から保護することができる。よって、周囲の物体を取り除くことなく、作業を継続することが可能となり、作業効率を高めることができる。
【００１３】
請求項４においては、把持部の剛性を高めることができる。
【発明を実施するための最良の形態】
【００１４】
次に、発明の実施の形態を説明する。
【００１５】
図１は本発明の一実施例に係る歩行型作業機の側面図、図２は本発明の一実施例に係る歩行型作業機の平面図、図３はハンドルの把持部の平面図、図４はハンドルの左側把持部の下方斜視図である。
【００１６】
まず、本発明の一実施例に係る歩行型管理機１の概略構成について説明する。
【００１７】
図１、図２に示すように、歩行型管理機１においては、機体フレーム２上にエンジン３を搭載し、該機体フレーム２の下方に複数の耕耘爪４ａを有するロータリ耕耘装置４を設けている。エンジン３とロータリ耕耘装置４との間にトランスミッション５を設けて、該トランスミッション５によりエンジン３とロータリ耕耘装置４とを連動連結している。
【００１８】
機体フレーム２の後端部には、左右一対の車輪８を上下位置調節可能に取り付けている。これらの左右の車輪８には回転抵抗を付与可能とし、耕耘作業時には当該車輪８を回転不能として土中に差し込むことで、ロータリ耕耘装置４の牽引力に対する抵抗力を与えるようにしている。そして、左右の車輪８の上下位置を調節することにより耕深量を任意に設定することができるようにしている。
【００１９】
機体フレーム２の後部には、ハンドル１０を後上方へ延出するように設け、該ハンドル１０の後側に左右二股に分かれた杆部１２・１２に連結したループ状の把持部１１を備えている。このハンドル１０の把持部１１近傍にはデッドマン式クラッチレバー１５を設け、該クラッチレバー１５によりトランスミッション５に設けたクラッチの断接操作を可能している。
【００２０】
すなわち、クラッチレバー１５を把持部１１とともに握ることで、トランスミッション５のクラッチを接続して、駆動力をエンジン３から伝達し、ロータリ耕耘装置４を駆動させるようにしている。逆に、クラッチレバー１５を離すことで、クラッチを切断して、駆動力の伝達を遮断し、ロータリ耕耘装置４を停止させるようにしている。
【００２１】
次に、前記左右のハンドル１０の構成について詳細に説明する。
【００２２】
ハンドル１０は、左右の把持部１１と、左右の杆部１２と、取付部１３とで構成し、取付部１３を機体フレーム２の後部から後上方へ延設されたハンドル基部１４に取り付ける一方、左右の杆部１２を取付部１３に前低後高に斜設し、該杆部１２の後側上端に把持部１１を連結して、平面視略Ｙ字状に形成している。この把持部１１は後部左右中央を除いて滑り止め部材で被覆し、しっかりと把持可能なものとしている。
【００２３】
このハンドル１０において、取付部１３はハンドル基部１４に左右方向の軸周りに回動可能に連結し、その回動支点１６を中心として杆部１２に連結した把持部１１を前方または下方へ回動することで、これを機体側に折り畳むことができるようにしている。ここで、前方へ回動した場合には、把持部１１がエンジン３の側方もしくは前方へ位置するようにコンパクトに折り畳むことができるようにし、その際には平面視でハンドル１０とエンジン３を覆うボンネットと重複しないように構成している。回動支点１６には、把手付き止めねじ１７等の固定手段を設け、把持部１１を任意の回動位置に固定可能としている。
【００２４】
図３、図４に示すように、左右の各把持部１１はループ状に形成し、その前端を杆部１２の後端に連結して、その開口方向が略鉛直方向となるように配置している。そして、当該把持部１１内側から後側にかけての部分を略Ｌ字状に屈曲して、その内側を前後方向に延伸する縦把持部１１ａとし、その後側を縦把持部１１ａの後端から外側に向けて延伸する横把持部１１ｂとしている。
【００２５】
また、把持部１１は横把持部１１ｂの外側端から縦把持部１１ａの前端に向けて延伸するガード体１１ｃを一体的に設けて、該ガード体１１ｃの前端と縦把持部１１ａとの前端とを連結している。こうして、前記縦把持部１１ａと、前記横把持部１１ｂと、前記ガード体１１ｃとで掌が十分に入る大きさの開口を有するループを形成し、その開口に手を挿入して、これら縦把持部１１ａ、横把持部１１ｂ、ガード体１１ｃのいずれかを把持することができるようにしている。
【００２６】
なお、把持部はＴ字状などに形成して、縦把持部と横把持部とを備えるようにしてもよい。また、ガード体は把持部の最も外側に位置する横把持部の外側端から前方へ延出するものであればよく、把持部と別体としたり、縦把持部の前端に連結させずに構成したりすることも可能である。
【００２７】
左右一側の把持部１１の前端、すなわち縦把持部１１ａとガード体１１ｃとの連結部付近には、エンジン３の回転数を調節してロータリ耕耘装置４の耕耘爪４ａの回転数を調整するアクセルレバー１８を設け、該縦把持部１１ａを把持したまま指先だけで操作可能としている。左右他側の把持部１１の前端、すなわち縦把持部１１ａとガード体１１ｃとの連結部付近には、エンジン３を停止させるストップボタン１９を設け、該縦把持部１１ａを把持したまま指先だけで操作可能としている。
【００２８】
また、左右一側の把持部１１の近傍に前記クラッチレバー１５を設けている。但し、両側の把持部１１にそれぞれクラッチレバー１５を設けることもできる。クラッチレバー１５は縦把持部１１ａと横把持部１１ｂの下方でこれらの形状に沿って平面視Ｌ字状に屈曲し、その屈曲部分の一側を前後方向に延伸する縦操作部１５ａとし、他側に左右方向に延伸する横操作部１５ｂとしている。縦操作部１５ａは縦把持部１１ａと、横操作部１５ｂは横把持部１１ｂと平面視で略重合するように配置して、それぞれの操作部１５ａ・１５ｂと対向する把持部１１ａ・１１ｂとを同時に把持可能としている。
【００２９】
クラッチレバー１５はその前端に突設した連結片２２の基部側で把持部１１と杆部１２との連結部付近に左右方向の軸回りに回動可能に支持して、その支点２１を中心としてクラッチレバー１５を把持部１１に近接または離間させる方向（上下方向）に揺動可能としている。
【００３０】
クラッチレバー１５の連結片２２の先端側にはワイヤー２３の一端を接続し、該ワイヤー２３の他端をトランスミッション５（またはベルトケース）に備えたクラッチに接続して、クラッチレバー１５と当該クラッチとを連動連結している。そして、クラッチレバー１５を把持部１１の内側に位置する縦把持部１１ａ、または把持部１１の後側に位置する横把持部１１ｂと同時に握ることでクラッチを接続し、逆に離すことで切断するようにしている。
【００３１】
こうして、把持部１１の開口に手を挿入して、縦操作部１５ａをクラッチレバー１５の縦操作部１５ａとともに握ることによって、当該縦把持部１１ａをしっかりと握って耕耘作業を行ったり、左右のバランスをとって機体の姿勢制御を行ったりすることを容易にしている。一方、横把持部１１ｂをクラッチレバー１５の横操作部１５ｂとともに握ることによって、機体の押し引きを容易にしたり、耕耘作業時に機体の姿勢を安定させた状態で後方から操縦したりすることを可能としている。
【００３２】
また、このように縦把持部１１ａまたは横把持部１１ｂをクラッチレバー１５とともに握って耕耘作業を行う場合に、該縦把持部１１ａおよび横把持部１１ｂよりも把持部１１外側に配置したガード体１１ｃよって、把持部１１に向かって延びる果樹園での樹木の枝、ハウスでの支柱などの周囲の物体から手を保護することを可能としている。さらに、ハンドル１０を前方へ折り畳む時や、折畳後に機体を持ち運ぶ時などには、ガード体１１ｃを握ることで、折畳作業や運搬作業を容易にしている。
【００３３】
以上のように、左右に把持部１１を備えたハンドル１０を有する歩行型作業機１において、前記左右の各把持部１１は、前後方向に延伸する縦把持部１１ａと、該縦把持部１１ａの後端から外側に向けて延伸する横把持部１１ｂとを備えて構成したことにより、通常作業時においては縦把持部１１ａを握り、特に押し引き操作する必要が生じた場合には力の入れやすい横把持部１１ｂを握るように状況に応じて縦把持部１１ａまたは横把持部１１ｂを使い分けることが可能となり、操作性の向上を図ることができる。
【００３４】
また、前記歩行型作業機１において、前記左右いずれか一方の把持部１１の近傍にクラッチレバー１５を設けて、該把持部１１の縦把持部１１ａと横把持部１１ｂとに沿って屈曲し、該クラッチレバー１５と縦把持部１１ａまたは横把持部１１ｂとを同時に把持可能としたことにより、該クラッチレバー１５を縦把持部１１ａまたは横把持部１１ｂとともに握ることが可能となり、作業時での操作性を向上させることができる。
【００３５】
また、前記歩行型作業機１において、前記把持部１１に横把持部１１ｂの外側端から縦把持部１１ａの前端に向けて延伸するガード体１１ｃを設けたことにより、該ガード体１１ｃで縦把持部１１ａまたは横把持部１１ｂを握った手を周囲の物体から保護することができる。
【００３６】
また、前記歩行型作業機１において、前記把持部１１を、前記縦把持部１１ａと、前記横把持部１１ｂと、前記ガード体１１ｃとでループ状に形成したことにより、該把持部１１の剛性を高めることができる。
【図面の簡単な説明】
【００３７】
【図１】本発明の一実施例に係る歩行型作業機の側面図。
【図２】本発明の一実施例に係る歩行型作業機の平面図。
【図３】ハンドルの把持部の平面図。
【図４】ハンドルの左側把持部の下方斜視図。
【符号の説明】
【００３８】
１    歩行型作業機
１０    ハンドル
１１    把持部
１１ａ  縦把持部
１１ｂ  横把持部
１１ｃ  ガード体
【図１】
2008295384.tif 000003
【図２】
2008295384.tif 000004
【図３】
2008295384.tif 000005
【図４】
2008295384.tif 000006